(57)【特許請求の範囲】
【請求項１】
凹部を有するフレキシブルプレートと、
前記フレキシブルプレートの上に配設され、前記凹部に隣接する表示ユニットと、
前記凹部の中に形成され、前記表示ユニットの側面を覆うシーリング材と、
前記フレキシブルプレートから露出した表示ユニットの一部分を覆うもので、第３の表面と当該第３の表面と反対側の第４の表面とを有する保護フィルムと、を備え、
前記保護フィルムは前記第３の表面によって前記表示ユニットに配設され、
前記凹部は前記表示ユニットの周りのリング状の溝であり、
前記シーリング材は、前記保護フィルムの前記第４の表面の周辺を更に覆い、
前記凹部の側壁は、前記凹部の底から外側に前記フレキシブルプレートの上面まで形成されていること
を備えたフレキシブル表示装置。
【請求項２】
前記表示ユニットは第１の表面と当該第１の表面とは反対側の第２の表面とを有し、前記表示ユニットは前記第１の表面により前記フレキシブルプレートの上に配設され、
前記保護フィルムは前記表示ユニットの前記第２の表面の上に配設され、
前記シーリング材は、前記保護フィルムの側面を更に覆う、
請求項１に記載のフレキシブル表示装置。
【発明の詳細な説明】
【技術分野】
【０００１】
この出願は、２０１０年２月２３日に出願された台湾出願第９９１０５２１２号の利益を主張し、その主題は参照によってここに取り入れられる。
この発明は一般にフレキシブル表示装置に関し、特に、そのプレートが凹部を有するフレキシブル表示装置に関する。
【背景技術】
【０００２】
たいていのフレキシブル表示装置はとても薄く、そして、フレキシブル表示装置の表示ユニットの周辺は、通常は、表示ユニットを固定し保護するために、シーリング材により包まれている。
【０００３】
表示ユニットがとても薄いので、シーリング材はオーバーフローし、製品の美感を損なうか、以降の処理またはモジュールの組立てに影響を及ぼす。深刻なオーバーフローが起こったとき、シーリング材は表示領域に溢れさえもするかもしれず、表示ユニットの表示品質に影響を及ぼす。
【０００４】
特許文献１では、フレキシブル表示装置が開示されている。
【先行技術文献】
【特許文献】
【０００５】
【特許文献１】台湾特許第１２８３３７７号
【発明の概要】
【発明が解決しようとする課題】
【０００６】
本発明はフレキシブル表示装置に方向づけられている。凹部はフレキシブル表示装置のフレキシブルプレートの上に形成され、シーリング材のオーバーフローを避けるために、フレキシブル表示装置のシーリング材の一部分は凹部に形成される。
【課題を解決するための手段】
【０００７】
本発明の第１の態様に従えば、フレキシブル表示装置が提供される。フレキシブル表示装置は、フレキシブルプレート、表示ユニット、及びシーリング材を含んでいる。フレキシブルプレートは凹部を有する。表示ユニットはフレキシブルプレートの上に配設され、凹部に隣接する。シーリング材は、凹部に形成され、表示ユニットの側面を覆う。
【０００８】
本発明の第２の態様に従えば、フレキシブル表示装置が提供される。フレキシブル表示装置は、フレキシブルプレート、表示ユニット、保護フィルム、及びシーリング材を含む。フレキシブルプレートは凹部を有する。表示ユニットは、フレキシブルプレートの上に配設され、凹部に隣接する。保護フィルムは、フレキシブルプレートから露出した表示ユニットの一部分を覆う。シーリング材は、凹部に形成され、表示ユニットの側面を覆う。
【発明の効果】
【０００９】
本発明によれば、凹部はフレキシブルプレートの上に形成され、シーリング材のオーバーフローを避けるために、シーリング材の一部分は凹部に形成されるフレキシブル表示装置が提供される。
【図面の簡単な説明】
【００１０】
【図１】本発明の第１の実施形態に従ったフレキシブル表示装置の断面図である。
【図２】本発明の第２の実施形態に従ったフレキシブル表示装置の断面図である。
【図３】本発明の第３の実施形態に従ったフレキシブル表示装置の断面図である。
【図４】保護フィルムの第４の表面に更に形成される本発明の他の実施形態のフレキシブル表示装置のシーリング材を示す断面図である。
【図５】本発明の第４の実施形態に従ったフレキシブル表示装置の断面図である。
【発明を実施するための形態】
【００１１】
本発明の前述した及び他の態様は、好ましいがそれに限定されない実施例の以下の詳細な説明に関して、より良く理解される。以下の説明は、添付図面を参照してなされる。
【００１２】
（第１の実施形態）
【００１３】
図１を参照するに、本発明の第１の実施形態に係るフレキシブル表示装置の断面図が示されている。フレキシブル表示装置１００はフレキシブルプレート１０２、表示ユニット１０４、シーリング材（sealant）１０６、制御回路（不図示）、保護フィルム１１４、及び分離フィルム１１２を含んでいる。制御回路は、フレームを表示するために表示ユニット１０４とフレキシブルプレート１０２を制御する。
【００１４】
分離フィルム１１２は、フレキシブルプレート１０２の上の回路（不図示）や表示ユニット１０４が大気の環境によりダメージを受けるのを避けるために、フレキシブルプレート１０２のプレート表面１１６の上に配設されている。分離フィルム１１２は、アルミニウムや銅のような金属、プラスチック、防水薄膜或いはポリマーから作られ得る。表示ユニット１０４の第２の表面１２４の上に配設された保護フィルム１１４は、そのような防水薄膜反射よけフィルム或いは引っかきに抵抗力のあるフィルムにより実現される。
【００１５】
フレキシブルプレート１０２は凹部を有しており、それは、表示ユニット１０４の周りのリング状の溝により実現され得る。溝１０８は、閉じたリング状の溝により実現されるが、表示ユニット１０４の周りの分離した複数の溝を含んでもよい。溝１０８の深さは、好ましくは、但しこれに限定されないが、８〜１５０μｍの間の範囲である。加えて、溝１０８の断面は四角形であるが、そのような例示は本発明を限定するものではない。他の実施において、溝の断面は円弧、多角形であってもよく、本発明は溝１０８の断面の形状に関して、いかなる制限もなすものではない。
【００１６】
表示ユニット１０４は、プレート表面１１６の第２の表面１１８と反対側にある第１の表面１２６でフレキシブルプレート１０２に配設され、それは溝１０８に隣接している。
【００１７】
本発明の本実施形態においては、シーリング材１０６の一部分は、表示ユニット１０４の側面１２０と保護フィルム１１４の側面１２２を適切に覆うことができ、シーリング材１０６の他の部分は、溝１０８に形成され、シーリング材１０６の他の部分が、表示ユニット１０４の第２の表面１２４に重なる領域にはみ出さないようにする。
【００１８】
フレキシブル表示装置が、電力供給が遮断されたときに、表示内容を一時的に維持することができるように、フレキシブル表示装置１００は、双安定或いは多安定状態を有する。例えば、フレキシブル表示装置１００は、電気泳動タイプの表示装置、コレステロール液晶表示装置、液晶表示装置、双安定表示装置、或いは多安定表示装置により実現される。加えて、フレキシブル表示装置４００はさらに、フレキシブル有機発光ダイオード（ＯＬＥＤ）表示装置、フレキシブル発光ダイオード（ＬＥＤ）表示装置、或いはフレキシブル液晶表示装置により実現され得る。さらに、フレキシブル表示装置１００は、さらに、セグメントタイプ表示装置、ドットマトリックスタイプ表示装置、或いはパターンタイプ表示装置により実現され得る。
【００１９】
本発明の本実施形態において、フレキシブル表示装置１００は電気泳動タイプの表示装置により例示され、表示ユニット１０４とフレキシブルプレート１０２は、種々のフレキシブル表示装置１００に従って、適切に選択され設計され得る。
【００２０】
フレキシブルプレート１０２は、例えばフレキシブルプリント回路基板（ＦＰＣＢ）の如きものにより実現される。フレキシブルプリント回路基板は、ＰＩ，ＦＲ４，ＦＲ５，ＰＥＴ，ＰＶＣ，ＰＥＮ，及びＰＣＢのような銅基板から作られ得る。フレキシブルプレート１０２は、さらに、有機薄膜トランジスタ（ＯＴＦＴ）であり得る。或いは、フレキシブルプレート１０２は、さらに、電子ラベルのような特別なフレームを表示するために、表示ユニット１０４にマッチした電極パターンを形成してもよい。その上、フレキシブル表示装置１００のフレキシブルプレート１０２は、さらに、プリンティング、エポキシ、カーボンインクプリンティング、或いは回路エッチングの方法により形成されてよい。
【００２１】
本発明の第１の実施形態において、フレキシブル表示装置１００は保護フィルム１１４を含んでいる。しかしながら、他の実施において、保護フィルム１１４は省略することができる。そのような環境下、独創的な溝が用いられ、及び／又は溝１０８のサイズが適切に設計されると、オーバーフローの問題を回避するために、シーリング材１０６の分配が制御され得る。
【００２２】
（第２の実施形態）
【００２３】
本発明の第２の実施形態に従ったフレキシブル表示装置の断面図である、図２を参照する。第２の実施形態と第１の実施形態との類似点に関しては、同じ符号が使われ、そして、類似点はここで説明は繰り返されない。第２の実施形態のフレキシブル表示装置２００は第１の実施形態のフレキシブル表示装置１００と以下の点において異なっている。即ち、フレキシブル表示装置２００のシーリング材２０６が保護フィルム１１４の第４の表面１２８の周辺を覆っている。保護フィルム１１４は、第４の表面１２８とは反対側の第３の表面１３０により、表示ユニット１０４の上に配設されている。
【００２４】
溝１０８によって、シーリング材２０６は保護フィルム１１４の第４の表面１２８の周囲のみを覆い、表示ユニット１０４の表示領域（不図示）にはみ出さないだろう。
【００２５】
（第３の実施形態）
【００２６】
図３を参照するに、本発明の第３の実施形態に従ったフレキシブル表示装置の断面図が示されている。第３の実施形態と第１の実施形態との類似点に関しては同じ符号が使われ、そして、類似点はここで説明は繰り返されない。第３の実施形態のフレキシブル表示装置３００は第１の実施形態のフレキシブル表示装置１００と以下の点において異なっている。フレキシブル表示装置３００の保護フィルム３１４はフレキシブルプレート１０２から露出する表示ユニット１０４の部分を覆っている。即ち、保護フィルム３１４は第２の表面１２４と表示ユニット１０４の側面１２０を覆っている。
【００２７】
フレキシブル表示装置３００のシーリング材３０６は溝３０８に形成されており、保護フィルム３１４の側面３２２を覆っている。溝３０８は第１の実施形態の溝１０８と類似し、ここでは説明は繰り返されない。
【００２８】
本発明の第３の実施形態において、シーリング材３０６は保護フィルム３１４の第４の表面３２８に形成されていない。保護フィルムの第４の表面に更に形成された本発明の他の実施形態のフレキシブル表示装置のシーリング材を示す断面図である、図４を参照する。この他の実施形態において、フレキシブル表示装置４００のシーリング材４０６の部分は、保護フィルム３１４の第４の方面３２８の周辺を覆っている。
【００２９】
溝３０８によって、シーリング材４０６は適切な位置に配設されるように制御される。即ち、シーリング材は保護フィルム３１４の第４の表面３２８の周辺だけを覆い、表示ユニット１０４の表示領域（不図示）にはみ出さないだろう。
【００３０】
本発明のシーリング材の配置は、種々の方法により実施され得る。例えば、シーリング材は、表示ユニットの側面或いは保護フィルムの側面のみを覆うこともできる。或いは、シーリング材は表示ユニットの側面或いは保護フィルムの側面を覆い、そして更に表示ユニットの第２の表面の周辺或いは保護フィルムの第４の表面の周辺を覆うこともできる。
【００３１】
（第４の実施形態）
【００３２】
図５を参照するに、本発明の第４の実施形態に従ったフレキシブル表示装置の断面図が示されている。第３の実施形態と第１の実施形態との類似点に関しては同じ符号が使われ、そして、類似点はここで説明は繰り返されない。第４の実施形態のフレキシブル表示装置５００は第１の実施形態のフレキシブル表示装置１００と以下の点において異なっている。即ち、フレキシブル表示装置５００のフレキシブルプレート５０２は、表示ユニット１０４や保護フィルム５１４が配設される収納部(recess)５０８のような、凹部を有する。
【００３３】
シーリング材５０６はシーリング材１０６，２０６，３０６、或いは４０６と類似しているので、ここでは説明を繰り返さない。
【００３４】
本発明の第４の実施形態において、保護フィルム５１４は表示ユニット１０４の側面１２０及び第２の表面１２４のみを覆う。他の実施において、保護フィルム５１４は表示ユニット１０４の第２の表面１２４のみを覆うこともできる。或いは、他の実施において、フレキシブル表示装置５００は、保護フィルム５１４を除外することもできる。
【００３５】
本発明の前述した実施形態のフレキシブル表示装置に従えば、凹部はフレキシブルプレートの上に形成され、シーリング材の一部分は表示ユニット及び保護層の少なくとも一つを適切に覆うことができ、シーリング材の他の部分は凹部に形成され、シーリング材の分配は、シーリング材が予期しない領域にはみ出さないように制御される。
【００３６】
本発明は、好ましい実施形態の点から、例示の方法により述べられたが、本発明はそれらに限定されないものと理解される。これに対して、様々な変更や類似の配置や手順をカバーすることを意味し、そして、添付のクレームの範囲は、したがって、全てのそのような修正と類似した配置や手順を含むために、最も幅広い解釈を与えられなければならない。
【符号の説明】
【００３７】
１００，２００，３００，４００，５００  フレキシブル表示装置
１０２，５０２  フレキシブルプレート
１０４  表示ユニット
１０６，２０６，３０６，４０６，５０６  シーリング材
１０８，３０８，５０８  溝
１１２  分離フィルム
１１４，３１４，５１４  保護フィルム
１１６  プレート表面
１１８  第２の表面
１２２，３２２  側面
１２４  表示ユニットの第２の表面
１２６  表示ユニットの第１の表面
１２８，３２８  保護フィルムの第４の表面
１３０  保護フィルムの第３の表面
【図１】
0005472879.tif 000002
【図２】
0005472879.tif 000003
【図３】
0005472879.tif 000004
【図４】
0005472879.tif 000005
【図５】
0005472879.tif 000006